(57)【特許請求の範囲】
【請求項１】
掘削孔(2)内を移動し角速度計(10)及び加速度計(11)を有するプローブ(1)を用い姿勢・方位角演算を演算部(7)で行い、前記プローブ(1)に接続されたケーブル(3)のケーブル速度(5a)をケーブル測長器(5)にて計測し、前記姿勢・方位角及びケーブル速度(5a)の演算により前記掘削孔(2)の計測を行うようにした孔路計測方法において、
前記掘削孔(2)の横位置に基準台(20)を設け、前記基準台(20)に前記プローブ(1)を設置した時の計測基準方位角(A)を基準方位角として前記掘削孔(2)の計測を行い、前記計測基準方位角(A)と前記掘削孔(2)の掘削基準方位角(B)とのずれ量(Ψ0)は、予め計測しておき、前記計測時に計測した計測基準方位角(A)に補正を加えることを特徴とする孔路計測方法。
【請求項２】
掘削孔(2)内を移動し角速度計(10)及び加速度計(11)を有するプローブ(1)を用い姿勢・方位角演算を演算部(7)で行い、前記プローブ(1)に接続されたケーブル(3)のケーブル速度(5a)をケーブル測長器(5)にて計測し、前記姿勢・方位角及びケーブル速度(5a)の演算により前記掘削孔(2)の計測を行うようにした孔路計測装置において、
前記掘削孔(2)の横位置に配設された基準台(20)を有し、前記基準台(20)に前記プローブ(1)を設置した時の計測基準方位角(A)を基準方位角として前記掘削孔(2)の計測を行い、前記計測基準方位角(A)と前記掘削孔(2)の掘削基準方位角(B)とのずれ量(Ψ0)は、予め計測しておき、前記計測時に計測した計測基準方位角(A)に補正を加えるように構成したことを特徴とする孔路計測装置。
【発明の詳細な説明】
【技術分野】
【０００１】
本発明は、孔路計測方法及び装置に関し、特に、掘削孔の横位置に基準台を設け、この基準台にプローブを設置した時の計測基準方位角を基準方位角として前記掘削孔の計測を行うことにより、計測の初期方位設定誤差を除去し、計測精度を向上させるための新規な改良に関する。
【背景技術】
【０００２】
従来、用いられていたこの種の孔路計測方法及び装置としては、特許文献等を示していないが、図４から図７で示される構成を挙げることができる。
図４において符号１で示されるものは掘削孔２内に移動自在に設けられたプローブであり、このプローブ１に接続されたケーブル３は、ケーブル中継器４、ケーブル測長器５を介してケーブル巻取器６で巻取るように構成されている。
【０００３】
前記ケーブル測長器５からのケーブル速度５ａ及びケーブル巻取器６からのプローブデータ１ａは演算部７に取込まれている。
【０００４】
前記プローブ１は、図５のように構成され、３軸の角速度計１０と加速度計１１がＡ／Ｄ変換器１２を介して制御回路１３に接続され、この制御回路１３からのデータ１３ａは第１通信回路１４からケーブル３を介して演算部７の第２通信回路１５に入力されている。
【０００５】
前記演算部７では、前記第２通信回路１５が、表示器１６と記憶回路１７を有する演算／表示回路１８に接続され、前記ケーブル測長器５からのケーブル速度５ａは、入力回路１９を経て前記演算／表示回路１８に入力されている。
【０００６】
前述の構成において、前記プローブ１にて得られた角速度及び加速度のプローブデータ６に基づいて姿勢・方位角演算を行い、ケーブル測長器５にてケーブル速度５ａを計測し、これらを組合わせて演算部７で演算することにより掘削孔２の経路を計測する。
すなわち、以下の手順にて掘削を行っている。
（１）掘削を行う。
（２）掘削を行った孔の入り口方位基準で、掘削孔の姿勢角・方位角及び経路の計測を行う。
（３）計測結果を基に目標の位置に向けて再掘削を行う。
（４）以上（２）と（３）を繰り返す。
【０００７】
また、経路演算は、図６及び図７の計測座標で示されるように、プローブ１で計測した姿勢角（ピッチ角：θ）及び方位角（Ψ）とケーブル測長器５より得られた速度（単位時間当たりの移動距離：Ｖ）データより、下式により、孔経路（Ｘ、Ｙ、Ｚ方向位置）を算出する。
水平距離（Ｘ）＝∫{Cos(Ψ)×Ｖ}dt
水平距離（Ｙ）＝∫{Sin(Ψ)×Ｖ}dt
垂直位置（Ｚ）＝∫{Cos(θ)×Ｖ}dt
【発明の開示】
【発明が解決しようとする課題】
【０００８】
従来の孔路計測方法及び装置は、以上のように構成されていたため、次のような課題が存在していた。
すなわち、計測と、掘削を繰り返す場合、掘削孔の入り口が固定されていれば、計測を繰り返すときの計測基準の再現性が得られる。しかし、掘削の入り口は掘削過程で動くことが多く、またその動き量も検出できないため、結果として、計測誤差が増大する。掘削孔の入り口が動くことによる方位角誤差をΔΨとすると、水平位置は下式となり、方位角誤差ΔΨの影響をうけることになっていた。
水平距離（Ｘ）＝∫{Cos(Ψ＋ΔΨ)×Ｖ}dt
＝{(CosΨCosΔΨ＋SinΨSinΔΨ)×Ｖ}dt
水平距離（Ｙ）＝∫{Sin(Ψ＋ΔΨ)×Ｖ}dt
＝{(SinΨCosΔΨ＋CosΨSinΔΨ)×Ｖ}dt
【課題を解決するための手段】
【０００９】
本発明による孔路計測方法及び装置は、掘削孔内を移動し角速度計及び加速度計を有するプローブを用い姿勢・方位角演算を演算部で行い、前記プローブに接続されたケーブルのケーブル速度をケーブル測長器にて計測し、前記姿勢・方位角及びケーブル速度の演算により前記掘削孔の計測を行うようにした孔路計測方法において、前記掘削孔の横位置に基準台を設け、前記基準台に前記プローブを設置した時の計測基準方位角を基準方位角として前記掘削孔の計測を行い、前記計測基準方位角と前記掘削孔の掘削基準方位角とのずれ量は、予め計測しておき、前記計測時に計測した計測基準方位角に補正を加える方法である。
また、本発明による孔路計測装置は、掘削孔内を移動し角速度計及び加速度計を有するプローブを用い姿勢・方位角演算を演算部で行い、前記プローブに接続されたケーブルのケーブル速度をケーブル測長器にて計測し、前記姿勢・方位角及びケーブル速度の演算により前記掘削孔の計測を行うようにした孔路計測装置において、前記掘削孔の横位置に配設された基準台を有し、前記基準台に前記プローブを設置した時の計測基準方位角を基準方位角として前記掘削孔の計測を行い、前記計測基準方位角と前記掘削孔の掘削基準方位角とのずれ量は、予め計測しておき、前記計測時に計測した計測基準方位角に補正を加えるようにした構成である。
【発明の効果】
【００１０】
本発明による孔路計測方法及び装置は、以上のように構成されているため、次のような効果を得ることができる。
すなわち、掘削孔の横位置に基準台を設け、この基準台にプローブを設置した時の計測基準方位角を基準方位角として掘削孔の計測を行い、この基準台が動かないように管理することにより、計測の初期方位設定誤差を除去でき、計測精度を向上させることができる。
【発明を実施するための最良の形態】
【００１１】
本発明は、掘削孔の横位置に基準台を設け、この基準台にプローブを設置した時の計測基準方位角を基準方位角として前記掘削孔の計測を行うことにより、計測の初期方位設定誤差を除去し、計測精度を向上させるようにした孔路計測方法及び装置を提供することを目的とする。
【実施例】
【００１２】
以下、図面と共に本発明による孔路計測方法及び装置の好適な実施の形態について説明する。
尚、従来例と同一部分には同一符号を付し、図４〜図７の構成は、本発明においても同一であるため、本発明に対しても援用するものとする。
図１で示される掘削孔２に隣接する横位置には基準台２０を配設し、この基準台２０が動くことのないように配設した状態で、この基準台２０にプローブ１を配設する。
前記基準台２０は、図２及び図３で示されるように、台盤２１上に一対の凹板２２が設けられ、四本の支持柱２３により支持され、前記各凹板２２上にプローブ１が載置できるように構成されている。
【００１３】
次に、前述の計測システムを用いて計測する場合について述べる。
（実施例１）プローブを挿入しながらの計測
（１）計測システム及び基準台２０を図１及び図４に示す、設置を行う。
（２）プローブ１を基準台２０の上に乗せ（プローブ位置(１)）、計測基準方位角Ａを求める。
（３）プローブ１の位置を、掘削孔２のプローブ位置(２)へ移動する。この間ケーブル３を固定し、ケーブル測長器５が作動しない様にする。
（４）プローブ位置(２)の位置から、ケーブル３を挿入しながら掘削孔２の姿勢角・方位角及び経路を計測する。このとき、演算式は下式とし、計測基準方位角Ａの補正を行う。
水平距離（Ｘ）＝∫{Cos(Ψ・Ψ０)×Ｖ}dt
水平距離（Ｙ）＝∫{Sin(Ψ・Ψ０)×Ｖ}dt
（５）以上により、掘削過程で、掘削孔２の入口（基準位置）の方位角移動（ΔΨ）が発生しても、その影響を受けない掘削孔２の姿勢角・方位角及び経路計測が可能となる。
【００１４】
（実施例２）プローブを引抜きながらの計測
（１）システム及び基準台を、図１及び図４に示す、設置を行う。
（２）プローブ１を掘削孔２の最深部に押し込む。
（３）最深部から引き抜きながら、計測を行う。
（４）プローブ位置(２)に達したら、ケーブル３を固定し、ケーブル測長器５が作動しない様にして、プローブ位置を、プローブ位置(１)へ移動する。
（５）計測したデータをプローブ位置(１)基準で、演算し掘削孔２の姿勢角・方位角及び経路を計測する。このとき、演算式は下式とし、計測基準方位角Ａの補正を行う。
水平距離（Ｘ）＝∫{Cos(Ψ・Ψ０)×Ｖ}dt
水平距離（Ｙ）＝∫{Sin(Ψ・Ψ０)×Ｖ}dt
（６）以上により、掘削過程で、掘削孔２の入り口（基準位置）の方位角移動（ΔΨ）が発生しても、その影響を受けない掘削孔２の姿勢角・方位角及び経路計測が可能となる。
なお、掘削基準方位角Ｂ、計測基準方位角Ａ及びその差角すなわち、ずれ量（Ψ０）は、測量により予め計測で求めておき、計測時に計測した計測基準方位角Ａに補正を加える。
【産業上の利用可能性】
【００１５】
本発明は、孔経路の計測だけではなく、配管や溝の形成時にも適用可能である。
【図面の簡単な説明】
【００１６】
【図１】本発明による孔路計測方法及び装置の計測方法を示す構成図である。
【図２】図１の基準台を示す斜視図である。
【図３】図２の右側斜視図である。
【図４】従来の計測システムの構成図である。
【図５】図４の構成を具体的に示すブロック図である。
【図６】従来の掘削孔の水平位置の計測座標を示す説明図である。
【図７】従来の掘削孔の垂直位置の計測座標を示す説明図である。
【符号の説明】
【００１７】
１    プローブ
２    掘削孔
３    ケーブル
５    ケーブル測長器
５ａ    ケーブル速度
７    演算部
Ａ    計測基準方位角
２０    基準台
【図１】
0004792600.tif 000002
【図２】
0004792600.tif 000003
【図３】
0004792600.tif 000004
【図４】
0004792600.tif 000005
【図５】
0004792600.tif 000006
【図６】
0004792600.tif 000007
【図７】
0004792600.tif 000008